(57)【要約】【課題】ダイバーが使用する表示が正確な圧力計の提供。【解決手段】ダイビングに使用するブルドン管圧力計１のブルドン管３２の開放端部４６が圧力計１におけるホースへの取付部材３１に固定されるとともに、開放端部４６の近傍が取付部材３１から延びるアーム６１に対して固定される。【選択図】図２
2005134281.tif 000002
【特許請求の範囲】
【請求項１】
ダイバーが背負う空気ボンベから延びたフレキシブルなホースに取り付け可能であって、圧力表示要素を有するハウジングの内部に、開放端部とその反対端部である閉鎖端部とを有するブルドン管と、前記閉鎖端部につながるレバーと、前記レバーと前記表示要素との間に介在する平面歯車とを有するダイビング用ブルドン管圧力計であって、
前記ブルドン管は、前記開放端部が前記圧力計における前記ホースへの取付部に固定されており、前記開放端部と前記閉鎖端部との間の部分がＣ字形および螺旋形いずれかの形状を画いて延びるとともに、前記開放端部の近傍が、前記取付部から前記ブルドン管に向かって延びるアームに対しても固定されていることを特徴とする前記ブルドン管圧力計。
【発明の詳細な説明】
【技術分野】
【０００１】
この発明は、ダイバーが背負う空気ボンベから延びたフレキシブルなホースに取り付けて使用するのに好適なブルドン管圧力計に関する。
【背景技術】
【０００２】
実開昭４９−１０８４７７号公報（特許文献１）には、潜水用流体圧力計に係る発明が開示されている。この圧力計は、Ｃ字形を画いて延びるブルドン管と、デジタルタイプの圧力表示器と、ブルドン管の閉鎖端部に取り付けられたレバーと、レバーと圧力表示器との間に介在する平面歯車とを有する。ブルドン管の開放端部は、エアホースに対する取付部材に固定されている。平面歯車は、セクターとピニオンとからなる。
【０００３】
実開昭４９−１１８３８０号公報（特許文献２）にもまた、ブルドン管を用いた密封式圧力計に係る発明が開示されている。この圧力計は、ダイバーが腕に取り付けて水深を測定するのに適したもので、アナログタイプの圧力表示用指針と、Ｃ字形を画いて延びるブルドン管と、ブルドン管の閉鎖端部につながるレバーと、レバーと指針との間に介在する平面歯車とを有する。ブルドン管の開放端部はオイル室に固定され、オイル室はダイヤフラムを有する。ダイヤフラムの変形を介してオイルがブルドン管に対して流入または流出すると、指針が回転して圧力を表示する。平面歯車は、セクターとピニオンとからなり、ピニオンの軸には指針を目盛盤の基準圧力に向かって回転するように付勢するばねが取り付けられている。
【特許文献１】実開昭４９−１０８４７７号公報
【特許文献２】実開昭４９−１１８３８０号公報
【発明の開示】
【発明が解決しようとする課題】
【０００４】
ダイバーが空気ボンベの圧力（残圧）を確認するために使用する圧力計は、空気ボンベから延びたフレキシブルなホースの先端部に取り付けられることがある。特許文献１に記載された圧力計は、このように使用されるものの一つであるが、その使用態様から予測できるように、フレキシブルなホースとともに揺れ動いて、さまざまな物に当たることがある。しかるに、ブルドン管はその開放端部がホースに対する取付部材に固定されているだけである。それゆえ、平面歯車を介してそのブルドン管の閉鎖端部につなげられている特許文献１の圧力表示器や特許文献２の指針は、圧力計が物に当たったときの衝撃によってブルドン管が振動すると、平面歯車も動いてしまい、圧力を正確に表示できない場合がある。
【０００５】
この発明では、圧力計に衝撃が加えられても、圧力を正確に表示することができるように、ブルドン管を使用した従来の圧力計に改良を施すことが課題である。
【課題を解決するための手段】
【０００６】
前記課題解決のために、この発明が対象とするのは、ダイバーが背負う空気ボンベから延びたフレキシブルなホースに取り付け可能であって、圧力表示要素を有するハウジングの内部に、開放端部とその反対端部である閉鎖端部とを有するブルドン管と、前記閉鎖端部につながるレバーと、前記レバーと前記表示要素との間に介在する平面歯車とを有するダイビング用ブルドン管圧力計である。
【０００７】
かかるブルドン管圧力計において、この発明が特徴とするところは、次のとおりである。前記ブルドン管は、前記開放端部が前記圧力計における前記ホースへの取付部に固定されており、前記開放端部と前記閉鎖端部との間の部分がＣ字形および螺旋形いずれかの形状を画いて延びるとともに、前記開放端部の近傍が、前記取付部から前記ブルドン管に向かって延びるアームに対しても固定されている。
【発明の効果】
【０００８】
このように構成されたブルドン管圧力計は、その開放端部とその近傍の部位との二箇所がホースに対する取付部に対して固定されることになるから、圧力計に衝撃が加えられたときのブルドン管の振動が抑えられて、その衝撃によって圧力計の表示が不正確になるということがなくなる。
【発明を実施するための最良の形態】
【０００９】
添付の図面を参照して、この発明に係るダイビング用ブルドン管圧力計の詳細を説明すると、以下のとおりである。
【００１０】
図１は、ダイビング用ブルドン管圧力計１が使用されている浮力調整用ジャケット２の斜視図である。ジャケット２は、その背中に取り付けられたハーネス３に空気ボンベ４が固定されている。ボンベ４に取り付けられたファーストステージ５からは、マウスピース６に向かって延びる給気用の第１ホース７と、ダイバーの面体（図示せず）に向かって延びる給気用の第２ホース８と、先端に圧力計１が取り付けられた第３ホース９とが延びている。マウスピース６からは、ジャケット２の肩部に向かって蛇腹形状の第４ホース１１が延びている。圧力計１では、円筒状のハウジング２１の前面部を形成する透明板を通して、目盛盤２２と指針２３とが見える。ハウジング２１には、第３ホース９の先端部に対して着脱可能なカプラー２４が取り付けられている。
【００１１】
図２は、図１の圧力計１を分解して目盛盤２２の内側を示す図である。ただし、図１では、第３ホース９が上から下へと延びてその先端に取り付けられた圧力計１が下向きで画かれているが、図２では、その圧力計１が上向きで画かれている。図示のハウジング２１は、円筒状の周壁部２６と円盤状の底部２７とを有し、周壁部２６からはハウジング２１の内外に通じる透孔２８を形成しているスリーブ２９が延びている。ハウジング２１の内部には、金属ブロックからなる取付部材３１と、ブルドン管３２と、レバー３３と、平面歯車３４と、ばね３６とが収納されており、取付部材３１の下端部３７が図の上方からスリーブ２９に進入している。ハウジング２１の外側では、第３ホース９に対して着脱可能なカプラー２４が図の下方からスリーブ２９に進入して、取付部材３１における下端部３７の内側に螺合している。これら取付部材３１の下端部３７とカプラー２４とは、それぞれの通気孔３８，３９において連通している。カプラー２４には、第１、第２、第３Ｏ−リング４１，４２，４３が取り付けられており、カプラー２４と下端部３７との間、およびカプラー２４とスリーブ２９との間が水密な状態にある。
【００１２】
ブルドン管３２は、開放端部４６と閉鎖端部４７とを有し、これら両端部４６，４７間が概ねＣ字形を画くように延びるとともに、螺旋を画いている中間部４８を有する。開放端部４６は、取付部材３１の通気孔３８につながり、閉鎖端部４７には、キャップ４９が気密状態で嵌合している。キャップ４９には第１回動軸５１を介してレバー３３がつながり、そのレバー３３には第２回動軸５２を介して平面歯車３４がつながっている。平面歯車３４は、セクター５６とピニオン５７とからなるもので、セクター５６は第３回動軸５３によって、またピニオン５７は第４回動軸５４によって、取付部材３１に回動可能に支持されている。第４回動軸５４には指針２３を目盛盤の基準位置に向かって付勢するばね３６の一端部（図示せず）が固定され、ばね３６のもう一端部（図示せず）が取付部材３１に固定されている。第４回動軸５４は、目盛盤２２を越えて延びた先端部（図示せず）に指針２３が取り付けられている。ブルドン管３２における開放端部４６と中間部４８との間には、取付部材３１から延びたアーム６１の先端部６２が固定されている。
【００１３】
このように構成された圧力計１では、周知慣用のブルドン管圧力計と同様に、ブルドン管３２の内部が加圧されると、ブルドン管３２は、主として中間部４８と、中間部４８から閉鎖端部４７に至るまでの部分とが弾性変形して、その変形に伴うレバー３３とセクター５６との動きを介してピニオン５７と指針２３とが回転して圧力を指示する。ブルドン管３２は、その開放端部４６が取付部材３１に固定されているだけでなく、アーム６１を介して開放端部４６の近傍においても実質的には取付部材３１に固定されている。また、取付部材３１は、カプラー２４と協働してハウジング２１のスリーブ２９を図２の上下方向から強く挟むことによってハウジング２１と一体になっている。かかるブルドン管３２は、第３ホース９が揺れ動いたときに、ハウジング２１が物に当たって衝撃を受けても、指針２３の指示値を狂わせるほどには動くことがない。それゆえ、指針２３の指示は常に正確である。ただし、アーム６１は、ブルドン管３２において螺旋を画いている中間部４８の変形を妨げることがないように、開放端部４６と中間部４８との間において、より好ましくは開放端部４６の近傍においてブルドン管３２につなげられ、固定される。
【００１４】
この発明は、図示例の如く中間部４８において螺旋形を画いているブルドン管３２に代えて、螺旋形を画くことなくＣ字形を画くように単調に湾曲しているブルドン管で実施することもできる。
【産業上の利用可能性】
【００１５】
この発明によれば、衝撃を受けても正確な圧力を表示可能なブルドン管圧力計を製造することが可能になる。
【図面の簡単な説明】
【００１６】
【図１】浮力調整用ジャケットの斜視図。
【図２】圧力計の内部を示す図。
【符号の説明】
【００１７】
１    圧力計
４    空気ボンベ
９    ホース
２１    ハウジング
２２    圧力表示要素（目盛盤）
２３    圧力表示要素（指針）
３１    取付部材
３２    ブルドン管
３３    レバー
３４    平面歯車
３７    取付部（取付部材）
４６    開放端部
４７    閉鎖端部
５４    ピニオン
５６    セクター
６１    アーム
【図１】
2005134281.tif 000003
【図２】
2005134281.tif 000004